(57)【要約】    【課題】      セルサーチにかかる時間を低減し、高速セルサーチを実現することができる基地局装置、移動局装置およびフレーム送信方法を提供すること。    【解決手段】  基地局１００が、パイロット信号と基地局スクランブリングコードのグループを識別するためのコードグループ系列とから形成されるグループパイロットシンボルが配置されたフレームを形成し、前記基地局スクランブリングコードの番号と対応する変形パラメータに基づいて、当該基地局スクランブリングコードから変形スクランブリングコードを形成し、前記形成されたフレームに前記変形スクランブリングコードを乗算し、前記変形スクランブリングコードが乗算されたフレームを送信する。そして、移動局２００は、形成する変形スクランブリングコードレプリカを用いて変形スクランブリングコードを検出し、この検出結果に基づいてセルサーチの成否判定を行う。  【選択図】      図１
2007019799.tif 000002
【特許請求の範囲】
【請求項１】
パイロット信号と自装置に割り当てられた基地局スクランブリングコードのグループを識別するためのコードグループ系列とから形成されるグループパイロットシンボルが配置されたフレームを形成するフレーム形成手段と、
前記基地局スクランブリングコードの番号と対応する変形パラメータに基づいて、当該基地局スクランブリングコードから変形スクランブリングコードを形成する変形スクランブリングコード形成手段と、
前記形成されたフレームに前記変形スクランブリングコードを乗算する乗算手段と、
前記変形スクランブリングコードが乗算されたフレームを送信する送信手段と、
を具備する基地局装置。
【請求項２】
前記変形パラメータは、前記コードグループ系列ごとに異なる請求項１記載の基地局装置。
【請求項３】
前記変形パラメータは、前記基地局スクランブリングコードを所定数に分割した基地局スクランブリングコードブロックであり、
前記変形スクランブリングコード形成手段は、前記基地局スクランブリングコードの番号に対応する前記基地局スクランブリングコードブロックに前記所定数に応じたリピティションを施して前記変形スクランブリングコードを形成する請求項１記載の基地局装置。
【請求項４】
前記変形スクランブリングコードは、同一のチップ列からなり、かつ、互いに位相のみが異なることを特徴とする請求項１記載の基地局装置。
【請求項５】
基地局装置から送信されるフレームに基づいてセルサーチを行う移動局装置であって、
前記フレームは、パイロット信号と前記基地局装置に割り当てられた基地局スクランブリングコードのグループを識別するためのコードグループ系列とから形成されるグループパイロットシンボルが配置され、前記基地局スクランブリングコードの番号と対応する変形パラメータに基づいて当該基地局スクランブリングコードから形成された変形スクランブリングコードが乗算されており、
前記基地局スクランブリングコードと、前記コードグループ系列と、前記変形パラメータとを対応づけた対応テーブルと、
前記グループパイロットシンボルに基づいてフレームタイミングおよび前記コードグループ系列を検出する第１の検出手段と、
前記検出したコードグループ系列に対応する複数の基地局スクランブリングコードから前記変形パラメータに基づいて変形スクランブリングコード候補を形成し、当該変形スクランブリングコード候補を用いて前記変形スクランブリングコードを検出する第２の検出手段と、
前記第２の検出手段の検出結果に基づいて、前記セルサーチの成否を判定する判定手段と、
を具備する移動局装置。
【請求項６】
前記第２の検出手段は、前記形成した変形スクランブリングコードの各々と前記グループパイロットとの相関演算を行い、得られた相関値が最も大きい変形スクランブリングコードを検出する請求項５記載の移動局装置。
【請求項７】
前記検出した変形スクランブリングコードに対応する前記基地局スクランブリングコードおよび前記変形パラメータを特定する特定手段を具備し、
前記判定手段は、前記特定した基地局スクランブリングコードと変形パラメータとが前記対応テーブルで対応づけられているか否かに基づいて、前記セルサーチの成否を判定する請求項５記載の移動局装置。
【請求項８】
前記変形パラメータは、前記コードグループ系列ごとに異なり、
前記第２の検出手段は、前記検出したコードグループ系列に対応する複数の基地局スクランブリングコードから当該検出したコードグループ系列に対応する変形パラメータに基づいて変形スクランブリングコード候補を形成し、当該変形スクランブリングコード候補を用いて前記変形スクランブリングコードを検出し、
前記判定手段は、前記第２の検出手段が前記変形スクランブリングコードを検出できたときには前記セルサーチが成功したと判定し、前記第２の検出手段が前記変形スクランブリングコードを検出できなかったときには前記セルサーチが失敗したと判定する請求項５記載の移動局装置。
【請求項９】
前記変形スクランブリングコードは、同一のチップ列からなり、かつ、互いに位相のみが異なり、
前記第２の検出手段は、前記検出したコードグループ系列に対応する複数の基地局スクランブリングコードから１つの変形パラメータに基づいて変形スクランブリングコード候補を形成し、当該変形スクランブリングコード候補の前記変形スクランブリングコードからの位相差に基づいて当該変形スクランブリングコードを検出する請求項５記載の移動局装置。
【請求項１０】
パイロット信号と基地局スクランブリングコードのグループを識別するためのコードグループ系列とから形成されるグループパイロットシンボルが配置されたフレームを形成するステップと、
前記基地局スクランブリングコードの番号と対応する変形パラメータに基づいて、当該基地局スクランブリングコードから変形スクランブリングコードを形成するステップと、
前記形成されたフレームに前記変形スクランブリングコードを乗算するステップと、
前記変形スクランブリングコードが乗算されたフレームを送信するステップと、
を具備するフレーム送信方法。
【発明の詳細な説明】
【技術分野】
【０００１】
本発明は、初期セルサーチに用いるフレームを送信する基地局装置と、そのフレームを受信して初期セルサーチを行う移動局装置と、そのフレームの送信方法に関する。
【背景技術】
【０００２】
携帯電話などの移動局は、電源投入時やハンドオーバ時には、セル（基地局）を適宜選択して利用することにより通信することができる。移動局がセルを選択することは、セルサーチと呼ばれる。初期セルサーチにおいては、移動局が電源投入時に接続すべき最適なセルを選択する。具体的には、各セルは固有のスクランブリングコードによって識別されており、セルサーチは、下り回線において最も受信電力の大きな信号を送信するセルのスクランブリングコードを移動局が検出することにより行われる。
【０００３】
これに関連した従来技術としては、例えば、ＯＦＣＤＭ（Orthogonal Frequency and Code Division Multiplexing）方式での初期セルサーチ方法として、１シンボルの共通パイロットチャネル(ＣＰＩＣＨ：Common PIlot CHannel)を用いたセルサーチ方法が提案されている（例えば、非特許文献１参照）。この初期セルサーチは、シンボルタイミング同期、フレームタイミング同期、スクランブリングコード同定を目的として行われる。
【０００４】
上記従来のセルサーチ方式に用いられるフレームの構成を図１５に示す。同図に示すように、フレームの先頭には１ＯＦＤＭシンボルのＣＰＩＣＨが配置され、残りのシンボルには複数のデータチャネルや制御チャネルなどが多重されるＤＰＣＨが配置される。
【０００５】
上記ＣＰＩＣＨは基地局において次のように作成される。すなわち、まず第１段階に、パイロット信号として、上記基地局に割り当てられている基地局スクランブリングコードと対応するコードグループ系列（図１６においてはチップＧＣ（１）からチップＧＣ（Ｋ／２））を用意し、さらにＧＣ（１）からＧＣ（Ｋ／２）の各々をリピティションファクタ（ＲＦ）＝２としてリピティションしたものを用意する。つまり、パイロット信号は、基地局スクランブリングコードがグルーピングされたコードグループごとに共通の形をとることとなる。なお、コードグループ系列は、ＧＣ（１）からＧＣ（Ｋ／２）までの系列長Ｋ／２の系列である。ただし、Ｋは、ＯＦＣＤＭのサブキャリア数を表している。また、パイロットシンボルは、Ｋ個のシンボルから構成されている。
【０００６】
第２段階に、第１段階で用意されたパイロット信号の偶数番目のシンボルにコードグループ系列のＧＣ（１）からＧＣ（Ｋ／２）の各々を乗算し、奇数番目のシンボルには１を乗算する。これにより得られる信号（本明細書においては、「グループパイロット」と呼ぶことがある）は、コードグループごとに共通の形となる。
【０００７】
ここで、上記第１段階および第２段階を経て得られるグループパイロットは、実際には図１７に示すような行程で作成される。すなわち、コードグループ系列の各シンボルからグループパイロットにおける２つのシンボルが形成され、このグループパイロットの２つのシンボルのうち一方にはコードグループ系列のシンボルそのものが当てはめられ、他方にはコードグループ系列のシンボルの２乗が当てはめられる。
【０００８】
次いで第３段階に、Ｓ（１）〜Ｓ（Ｋ）からなる基地局スクランブリングコードのうちの前半部分（Ｓ（１）〜Ｓ（Ｋ／２））をＲＦ＝２（リピティションファクタ＝２）でリピティションしたものを、第２段階で得られたグループパイロットに乗算する。これによりＣＰＩＣＨを作成することができる。なお、通常のデータチャネルや制御チャネルが載せられるＤＰＣＨは、図１８に示すように１ＯＦＤＭシンボルであるｄ（１）〜ｄ（Ｋ）のデータ系列ごとに基地局スクランブリングコード（Ｓ（１）〜Ｓ（Ｋ））を乗算することにより得られる。
【０００９】
このようにして作成されたＣＰＩＣＨおよびＤＰＣＨを含むフレームが基地局により送信され、このフォーマットで送信されるフレームを用いて受信側である移動局が初期セルサーチを行う。図１９に移動局が行う初期セルサーチにおける動作を示す。同図に示すように、移動局は３段階で初期セルサーチを行う。
【００１０】
具体的には、第１段階に、移動局は、ＯＦＤＭのガードインターバル（ＧＩ）の相関特性を利用して、ＯＦＤＭシンボルタイミング(ＦＦＴウィンドウタイミング)を検出する。
【００１１】
第２段階においては、移動局は第１段階にて検出したＦＦＴウィンドウタイミングでＦＦＴ処理を行い、ＯＦＤＭ復調後の信号を用いてフレームタイミングの検出およびコードグループの同定を行う。その際、ＣＰＩＣＨの上記構成およびこれに乗算されているコードグループ系列の特徴が利用される。すなわち、隣接するサブキャリアにはスクランブリングコードの同一要素が乗算されているので、隣接サブキャリア間にて相関演算を行った相関系列を用いてコードグループ系列ＧＣを同定することができる。つまり、コードグループ系列を同定するために、移動局にとって既知であるコードグループ系列の候補のすべてをそれぞれ隣接サブキャリア間の相関系列に掛け合わせて相関をとり、最大の相関値が得られるタイミングをフレームタイミングとして検出し、また最大の相関値を得る際に掛け合わせたコードグループ系列候補をコードグループ系列として同定する。
【００１２】
第３段階においては、第２段階にて検出されたフレームタイミングによりＣＰＩＣＨを抽出し、同じく第２段階にて同定されたコードグループに属するすべてのコードでＣＰＩＣＨレプリカを生成する。そして、すべてのレプリカと抽出したＣＰＩＣＨとの相関をとり、最大の相関値が得られるコードを検出することによりスクランブリングコードを同定する。なお、以上のセルサーチ手順の詳細については非特許文献１に記載されている。
【００１３】
そして、一般的には第３段階の後に同定したスクランブリングコードが正しいものであるか否かの判定（ベリフィケーション）を行うことが必要となる。  
【非特許文献１】森田，二木，南里，高草木，“下りOFDM無線アクセスにおけるパイロットチャネルの最適化及び４段階セルサーチ法とその特性，”RCS2004-254，2005年1月
【発明の開示】
【発明が解決しようとする課題】
【００１４】
しかしながら、上記従来のセルサーチにおいては、終了判定に関して何ら配慮がなされていない。しかし、実環境において移動局側は基地局側で使用している正解のスクランブリングコードは分からないため、なんらかの終了判定が必要である。一般的な終了判定方法では、図１９に示すように第３段階で同定したスクランブリングコードを用いてＢＣＨやＤＰＣＨ等の復号を行って、ＣＲＣエラーチェックを行う。ＣＲＣエラーチェックがＯＫの場合、移動局は初期セルサーチを完了し、ネットワークに接続するための所定の手続きを開始する。一方、ＣＲＣエラーチェックがＮＧの場合、初期セルサーチ失敗と判定し、図１９に示すように第１段階からやり直す必要がある。つまり、第３段階のスクランブリングコード同定の成否判定は、ＢＣＨあるいはＤＰＣＨ等のＣＲＣエラーチェックまで一旦行わなければならず、所定のリトライ処理を開始するまでに時間を要してしまう問題がある。
【００１５】
本発明は、かかる点に鑑みてなされたものであり、セルサーチにかかる時間を低減し、高速セルサーチを実現することができる基地局装置、移動局装置およびフレーム送信方法を提供することを目的とする。
【課題を解決するための手段】
【００１６】
本発明の基地局装置は、パイロット信号と自装置に割り当てられた基地局スクランブリングコードのグループを識別するためのコードグループ系列とから形成されるグループパイロットシンボルが配置されたフレームを形成するフレーム形成手段と、前記基地局スクランブリングコードの番号と対応する変形パラメータに基づいて、当該基地局スクランブリングコードから変形スクランブリングコードを形成する変形スクランブリングコード形成手段と、前記形成されたフレームに前記変形スクランブリングコードを乗算する乗算手段と、前記変形スクランブリングコードが乗算されたフレームを送信する送信手段とを具備する構成を採る。
【００１７】
本発明の移動局装置は、基地局装置から送信されるフレームに基づいてセルサーチを行う移動局装置であって、前記フレームが、パイロット信号と前記基地局装置に割り当てられた基地局スクランブリングコードのグループを識別するためのコードグループ系列とから形成されるグループパイロットシンボルが配置され、前記基地局スクランブリングコードの番号と対応する変形パラメータに基づいて当該基地局スクランブリングコードから形成された変形スクランブリングコードが乗算されており、前記基地局スクランブリングコードと、前記コードグループ系列と、前記変形パラメータとを対応づけた対応テーブルと、前記グループパイロットシンボルに基づいてフレームタイミングおよび前記コードグループ系列を検出する第１の検出手段と、前記検出したコードグループ系列に対応する複数の基地局スクランブリングコードから前記変形パラメータに基づいて変形スクランブリングコード候補を形成し、当該変形スクランブリングコード候補を用いて前記変形スクランブリングコードを検出する第２の検出手段と、前記第２の検出手段の検出結果に基づいて、前記セルサーチの成否を判定する判定手段と、を具備する構成を採る。
【００１８】
本発明のフレーム送信方法は、パイロット信号と基地局スクランブリングコードのグループを識別するためのコードグループ系列とから形成されるグループパイロットシンボルが配置されたフレームを形成するステップと、前記基地局スクランブリングコードの番号と対応する変形パラメータに基づいて、当該基地局スクランブリングコードから変形スクランブリングコードを形成するステップと、前記形成されたフレームに前記変形スクランブリングコードを乗算するステップと、前記変形スクランブリングコードが乗算されたフレームを送信するステップと、を具備するようにした。
【発明の効果】
【００１９】
本発明によれば、セルサーチにかかる時間を低減し、高速セルサーチを実現することができる基地局装置、移動局装置およびフレーム送信方法を提供することができる。
【発明を実施するための最良の形態】
【００２０】
以下、本発明の実施の形態について図面を参照して詳細に説明する。なお、実施の形態において、同一の構成要素には同一の符号を付し、その説明は重複するので省略する。
【００２１】
（実施の形態１）
図１に示すように実施の形態１の基地局１００は、符号化部１０５と、パイロット信号生成部１１０と、コードグループ系列生成部１１５と、ＣＰＩＣＨ生成部１２０と、フレーム構成部１２５と、スクランブリングコード生成部１３０と、スクランブル部１３５と、ＯＦＤＭ変調部１４０と、ＧＩ（ガードインタバル）挿入部１４５と、無線送信部１５０と、無線受信部１５５と、復調部１６５と、復号部１７０とを有する。
【００２２】
符号化部１０５は、送信信号(ＤＣＨなど)を入力し、所定の符号化を行い符号化後の信号をフレーム構成部１２５に出力する。
【００２３】
パイロット信号生成部１１０は、パイロット信号を生成する。具体的には、パイロット信号生成部１１０は、例えば、基地局１００に割り当てられている基地局スクランブリングコードと対応するコードグループ系列番号およびサブキャリアブロック数Ｎを入力し、コードグループ番号に対応するコードグループ系列のチップうちのＧＣ（１）からＧＣ（Ｋ／Ｎ）を生成(ここで生成したものを「ベーシックパイロット信号」と呼ぶ)し、さらにＧＣ（１）からＧＣ（Ｋ／Ｎ）の各々をリピティションファクタ（ＲＦ）＝Ｎとしてリピティションしたものを生成（ここで生成したものを「パイロット信号」と呼ぶ）する。この生成例におけるパイロット信号は、ＧＣ（１）＝・・・＝ＧＣ（Ｎ），ＧＣ（（ｉ−１）＊Ｎ＋１）＝・・・＝ＧＣ（ｉ＊Ｎ），・・・，ＧＣ（(Ｋ／Ｎ−１)＊Ｎ＋１）＝・・・＝ＧＣ（Ｋ）となる。（ただし、ｉ＝1，・・・，Ｋ／Ｎ）なお、パイロット信号はこのような形に限定されるものではなく、全セル共通の形をしていてもよい。ただし、全セル共通パイロット信号の場合でもブロック内のパイロット信号は同一信号である。
【００２４】
コードグループ系列生成部１１５は、コードグループ系列番号およびサブキャリアブロック数Ｎを入力し、コードグループ系列番号に対応するコードグループ系列のチップうちのＧＣ（１）からＧＣ（Ｋ／Ｎ）を生成し、所定のチップをＫ−Ｋ／Ｎ個追加してＫチップからなる系列を生成する。具体的には、例えば、ＧＣ（１）の一つ前のチップを１とし、ＧＣ（１）の次のチップからＮ−２個のチップに１を入れる。ＧＣ（２）からＧＣ（Ｋ／Ｎ）についても同様にする。また他の方法としては、ＧＣ（１）の次のチップからＮ−１個のチップに１を入れ、ＧＣ（２）からＧＣ（Ｋ／Ｎ）についても同様にしてもよい。また他の方法としては、ＧＣ（１）の１つ前のチップに１を入れ、この１、ＧＣ（１）の組み合わせをＮ／２回繰り返し、ＧＣ（２）からＧＣ（Ｋ／Ｎ）についても同様にしてもよい。また他の方法としては、ＧＣ（１）の１つ後のチップに１を入れ、このＧＣ（１）、１の組み合わせをＮ／２回繰り返し、ＧＣ（２）からＧＣ（Ｋ／Ｎ）についても同様にしてもよい。
【００２５】
そしてコードグループ系列生成部１１５は、生成した系列をＣＰＩＣＨ生成部１２０に出力する。
【００２６】
ＣＰＩＣＨ生成部１２０は、パイロット信号生成部１１０にて生成されたパイロット信号とコードグループ系列生成部１１５にて生成された系列とを入力し、そのパイロット信号および系列を乗算することにより「グループパイロット」を生成する。なお、上述のとおり、この「グループパイロット」は、コードグループごとに共通の形となる。
【００２７】
フレーム構成部１２５は、符号化部１０５からの符号化後の信号とＣＰＩＣＨ生成部１２０からのグループパイロットとを入力する。そして、フレーム構成部１２５は、先頭にグループパイロットが配置され、残りには符号化後の信号（データ）が配置される構成を持つフレームを形成する（図２参照）。そして、フレーム構成部１２５は、サブキャリア数ＮのシンボルであるＯＦＤＭシンボルを単位として、ＯＦＤＭシンボルを出力する。
【００２８】
スクランブリングコード生成部１３０は、自装置に割り当てられている基地局スクランブリングコードのうち基地局スクランブリングコード番号に対応する基地局スクランブリングコードブロックを生成する。すなわち、基地局スクランブリングコード番号をＭ個のセット（集合）に分けるとともに、基地局スクランブリングコードもＭ個のブロックに分け、基地局スクランブリングコード番号と、基地局スクランブリングコード番号のセット（以下、「スクランブリングコードセット」と呼ぶことがある）と、基地局スクランブリングコードブロックとの対応テーブルを用意しておき、スクランブリングコード生成部１３０は、基地局スクランブリングコード番号が属するセットに対応する基地局スクランブリングコードブロックを生成する。具体的には、例えば基地局スクランブリングコード番号を２つのセットに分ける場合に基地局スクランブリングコード番号が偶数のときには基地局スクランブリングコードの前半部分の基地局スクランブリングコードブロックを生成し、基地局スクランブリングコード番号が奇数のときには基地局スクランブリングコードの後半部分の基地局スクランブリングコードブロックを生成する（図３参照）。なお、基地局スクランブリングコードのセット数Ｍは、実際上、基地局１００がカバーするセル半径や送信するＣＰＩＣＨの送信電力などに基づいてシステムにて予め決定されるリピティションファクタから決定される。
【００２９】
そして、スクランブリングコード生成部１３０は、リピティションファクタ（ＲＦ）をＭとしてリピティションを行い、リピティションにより得られた系列をスクランブル部１３５に出力する。
【００３０】
すなわち、スクランブリングコード生成部１３０は、基地局スクランブリングコードセットに応じた変形を基地局スクランブリングコードに施して、グループパイロットに乗算すべき変形スクランブリングコードを形成する。詳細には、基地局スクランブリングコード番号と、基地局スクランブリングコードセット識別情報と、変形方式とを対応づけた対応テーブルを用意しておき、スクランブリングコード生成部１３０は、基地局スクランブリングコードセット識別情報と対応する変形方式により変形スクランブリングコードを形成する。なお、例えば、上記基地局スクランブリングコードブロックの識別情報は、その基地局スクランブリングコードブロックを使って基地局スクランブリングコードから変形スクランブリングコードを形成するので、変形方式の識別情報或いは変形方式パラメータとして利用できる。また、上記具体例では、リピティションにより得られた系列が変形スクランブリングコードに対応する。
【００３１】
スクランブル部１３５は、スクランブリングコード生成部１３０よりリピティションされて基地局スクランブリングコードと同じ長さになった系列（変形スクランブリングコード）および基地局スクランブリングコードが入力され、フレーム構成部１２５からＯＦＤＭシンボル単位で送信データが入力され、ＯＦＤＭシンボルごとに上記系列を乗算して拡散を行う。具体的には、スクランブル部１３５は、グループパイロットに相当するＯＦＤＭシンボルが入力された場合には変形スクランブリングコードを乗算し、ＤＰＣＨに相当するＯＦＤＭシンボルが入力された場合には基地局スクランブリングコードを乗算する。そして、スクランブル後の送信データはＯＦＤＭ変調部１４０に出力される。
【００３２】
ＯＦＤＭ変調部１４０は、スクランブル後の送信データを入力し、ＯＦＤＭ変調を施してＧＩ挿入部１４５に出力する。
【００３３】
ＧＩ挿入部１４５は、ＯＦＤＭシンボルごとにガードインタバルを挿入し、ガードインタバル挿入後の信号を無線送信部１５０に出力する。
【００３４】
無線送信部１５０は、ＧＩ挿入部１４５からガードインタバル挿入後の信号を入力し、アップコンバートなどのＲＦ処理を行い、アンテナを介して送信する。
【００３５】
無線受信部１５５は、アンテナを介して移動局からの信号を受信し、ダウンコンバートなどのＲＦ処理を行い、ＲＦ処理後の信号を復調部１６５に出力する。
【００３６】
復調部１６５は、所定の変調方式に対応して同期検波を行って復調を行う。
【００３７】
復号部１７０は、復調部１６５から復調後の信号が入力され、適切な誤り訂正復号を行って受信信号を取り出す。
【００３８】
図４に示すように実施の形態１の移動局２００は、受信制御部２０５と、無線受信部２１０と、シンボルタイミング検出部２１５と、ＧＩ除去部２２０と、ＦＦＴ処理部２２５と、隣接サブキャリア相関部２３０と、コードグループ系列レプリカ生成部２３５と、コードグループ系列相関部２４０と、フレームタイミング／コードグループ検出部２４５と、スクランブリングコード同定部２５０と、スクランブリングコードレプリカ生成部２５５と、セルサーチ成否判定部２６０と、デスクランブリング部２６５と、復号部２７０と、ＣＲＣチェック部２７５と、符号化部２８０と、変調部２８５と、無線送信部２９５とを有する。
【００３９】
受信制御部２０５は、移動局２００の状態、すなわち初期セルサーチモードの第何段階であるか若しくは通常受信モードであるかなど、又はコード同定の成否に応じて無線受信部２１０及びＦＦＴ処理部２２５からの出力信号の出力先に関して制御する。具体的には、無線受信部２１０及びＦＦＴ処理部２２５に対して出力先命令信号を出力して無線受信部２１０及びＦＦＴ処理部２２５からの出力信号の出力先を制御する。無線受信部２１０への出力先命令信号の内容としては、移動局２００の状態が初期セルサーチモードの第１段階である場合にはシンボルタイミング検出部２１５が出力先である旨の内容となり、第１段階以外である場合にはＧＩ除去部２２０が出力先である旨の内容となる。また、受信制御部２０５は、フレームタイミング／コードグループ検出部２４５にてフレームタイミングが検出されるとこのフレームタイミング情報が入力される。受信制御部２０５は、このフレームタイミング情報に基づいて、ＦＦＴ処理部２２５の出力信号の出力先を制御する出力先命令信号を出力する。また受信制御部２０５は、セルサーチ成否判定部２６０にて初期セルサーチに失敗したと判定された場合、再度第１段階シンボルタイミング検出が必要になるため、セルサーチ成否判定部２６０よりサーチリトライ信号を受け取り、無線受信部２１０の出力信号出力先を制御する。
【００４０】
無線受信部２１０は、アンテナを介して基地局１００からの信号を受信し、ダウンコンバートなどのＲＦ処理を行う。そして、無線受信部２１０は、上記受信制御部２０５からの出力先命令信号が示す出力先に対してＲＦ処理後の信号を出力する。
【００４１】
シンボルタイミング検出部２１５は、移動局２００が初期セルサーチモードの第１段階であるときに無線受信部２１０からＲＦ処理後の信号が入力される。シンボルタイミング検出部２１５は、ガードインタバル相関をとり、ＯＦＤＭシンボルにおけるガードインターバルの相関特性を利用して、ＯＦＤＭシンボルタイミングを検出する。このＯＦＤＭシンボルタイミングは、すなわちＦＦＴを施すためのＦＦＴウィンドウタイミングである。そして、シンボルタイミング検出部２１５は、検出したシンボルタイミングの結果をＧＩ除去部２２０に出力するとともに、シンボルタイミングを検出したこと、すなわちセルサーチの第１段階が終了したことを通知するための第１段階終了通知信号を受信制御部２０５に出力する。なお、本明細書においては、連続するＯＦＤＭシンボルタイミング間を「ＯＦＤＭシンボル区間」と呼ぶこととする。
【００４２】
ＧＩ除去部２２０は、シンボルタイミング検出部２１５からのＯＦＤＭシンボルタイミングに従って、ＲＦ処理後の受信信号からガードインタバルを除去し、ＦＦＴ処理部２２５に出力する。
【００４３】
ＦＦＴ処理部２２５は、ＧＩ除去部２２０からのガードインタバル除去後の受信信号を、ＯＦＤＭシンボル単位で入力し、この入力信号に対してＦＦＴ処理を施す。そして、ＦＦＴ処理部２２５は、受信制御部２０５からの出力先命令信号に応じた出力先にＦＦＴ処理後の信号を出力する。具体的には、ＦＦＴ処理部２２５は、現在の移動局２００の状態がセルサーチの第２段階である場合には、隣接サブキャリア相関部２３０が出力先である旨の出力先命令信号が入力され、ＦＦＴ処理後の信号を隣接サブキャリア相関部２３０に出力する。また、ＦＦＴ処理部２２５は、現在の移動局２００の状態がセルサーチの第３段階である場合には、スクランブリングコード同定部２５０が出力先である旨の出力先命令信号が入力され、受信制御部２０５からのフレームタイミング情報に基づいて、ＦＦＴ処理後の「グループパイロット」が含まれるＯＦＤＭシンボルであってフレームの先頭に配置されているＯＦＤＭシンボルをスクランブリングコード同定部２５０に出力する。また、ＦＦＴ処理部２２５は、受信制御部２０５より上記隣接サブキャリア相関部２３０が出力先である出力先命令信号およびスクランブリングコード同定部２５０が出力先である旨の出力先命令信号以外の出力先命令信号を入力するときには、ＦＦＴ処理後の信号をデスクランブリング部２６５に出力する。
【００４４】
隣接サブキャリア相関部２３０は、ＦＦＴ処理部２２５からＦＦＴ処理後の信号を入力し、各ＯＦＤＭシンボル区間にて周波数方向に隣接するサブキャリア信号間で相関をとり、少なくともＮＳ＋１番目サブキャリア信号とＮＳ＋２番目のサブキャリア信号との相関値から各ＯＦＤＭシンボル区間ごとに相関系列を算出する（図５参照）。なお、Ｓは、１以上Ｋ／Ｎ以下の整数である。この相関系列の算出は、１フレームに渡って行われる。
【００４５】
Ｎ＝４の場合について図６を参照して具体的に説明する。ここで送信側である基地局１００から送信されたフレームに掛け合わされているコードグループ系列生成部１１５にて生成された系列が図６の上の方に示した状態であり、ＦＦＴ処理部２２５から入力される信号にはその系列が掛け合わされているとする。なお、その下の図には、チップの番号が示されている。
【００４６】
このときに隣接サブキャリア相関部２３０がＮＳ＋１番目サブキャリア信号とＮＳ＋２番目のサブキャリア信号との相関値から各ＯＦＤＭシンボル区間ごとに相関系列を算出すると、その相関系列は基地局１００にて用いられたコードグループ系列となる。なお、ＮＳ＋２番目サブキャリア信号とＮＳ＋３番目のサブキャリア信号との相関値からもコードグループ系列が求められ、この場合ＮＳ＋１番目サブキャリア信号とＮＳ＋２番目のサブキャリア信号との相関値およびＮＳ＋２番目サブキャリア信号とＮＳ＋３番目のサブキャリア信号との相関値を加算することにより、より正確にコードグループ系列を求めることができる。ただし、ここでは基地局１００のコードグループ系列生成部１１５にて生成された系列のフォーマットに応じた隣接サブキャリア信号の相関値を利用してコードグループ系列を求めることができればよく、上記方法に限定されるものではない。
【００４７】
そして、算出されたＯＦＤＭシンボル区間ごとの相関系列は、コードグループ系列相関部２４０に出力される。
【００４８】
コードグループ系列レプリカ生成部２３５は、システムにおいて予め定められているすべてのコードグループ系列を生成し、コードグループ系列相関部２４０に出力する。
【００４９】
コードグループ系列相関部２４０は、隣接サブキャリア相関部２３０にて算出された相関系列およびコードグループ系列レプリカ生成部２３５からのコードグループ系列を入力し、相関系列とすべてのコードグループ系列との相関演算を行う。この相関演算は１フレーム中の全ＯＦＤＭシンボルについて行われる。なお、この相関演算を複数フレームの全ＯＦＤＭシンボルについて行い、フレーム間で相関値の平均化を行って性能を向上させても良い。
【００５０】
フレームタイミング／コードグループ検出部２４５は、コードグループ系列相関部２４０から１フレーム分の相関値あるいは平均相関値を入力し、最大相関値を検出する。そして、フレームタイミング／コードグループ検出部２４５は、最大相関値が得られるＯＦＤＭシンボルタイミングおよびその最大相関値を求める際に掛け合わせたコードグループ系列を同時検出する。そして、フレームタイミング／コードグループ検出部２４５は、検出したフレームタイミング情報をスクランブリングコード同定部２５０および受信制御部２０５に出力するとともに、検出したコードグループ系列を識別するコードグループ系列識別情報（例えば、コードグループ系列番号）をスクランブリングコード同定部２５０に出力する。
【００５１】
スクランブリングコードレプリカ生成部２５５は、スクランブリングコード同定部２５０を介してコードグループ系列識別情報を入力し、このコードグループ系列識別情報が示すコードグループと対応する全ての基地局スクランブリングコードのレプリカを生成する。具体的には、コードグループと対応する全ての基地局スクランブリングコード及び各基地局スクランブリングコードからのＮ個の変形スクランブリングコードレプリカを生成する。なお、ここでのＮ個の変形スクランブリングコードは、原型スクランブリングコードの各基地局スクランブリングコードブロックであるＳＣ（１）〜ＳＣ（Ｋ／Ｎ），ＳＣ（Ｋ／Ｎ＋１）〜ＳＣ（２Ｋ／Ｎ），・・・，ＳＣ（（Ｎ−１）＊Ｋ／Ｎ＋１）〜ＳＣ（Ｋ），のそれぞれをリピティションファクタＮでリピティションしたコードである。
【００５２】
すなわち、スクランブリングコードレプリカ生成部２５５は、フレームタイミング／コードグループ検出部２４５にて検出されたコードグループ系列識別情報が示すコードグループと対応する基地局スクランブリングコードをすべての変形方式を用いて変形し、各変形方式に応じた変形スクランブリングコードレプリカを生成する。そして、基地局スクランブリングコード同定時には候補基地局スクランブリングコードの変形スクランブリングコードレプリカをスクランブリングコード同定部２５０に出力する。
【００５３】
因みに、スクランブリングコードセット数Ｍが４で、一つのコードグループに１６個の基地局スクランブリングコードが含まれている場合には、スクランブリングコードレプリカ生成部２５５から出力される上記リピティションにより得られた系列（変形スクランブリングコードレプリカ）の個数は６４個となる。
【００５４】
スクランブリングコード同定部２５０は、ＦＦＴ処理部２２５から受け取るフレームの先頭に位置するグループパイロットを含むＯＦＤＭシンボルに対して、スクランブリングコードレプリカ生成部２５５から受け取る、各基地局スクランブリングコードブロックのリピティションにより得られた系列（すなわち、変形スクランブリングコードレプリカ）を各々掛け合わせ相関演算を行う。そして、求められた相関値の中で最も大きい値が得られる「変形スクランブリングコードレプリカ」に対応する基地局スクランブリングコードブロックの基となる基地局スクランブリングコードを同定する。そして、この基地局スクランブリングコードの同定に利用した上記基地局スクランブリングコードブロックの識別情報と、同定した基地局スクランブリングコードの番号とをセルサーチ成否判定部２６０に出力する。さらに、スクランブリングコード同定部２５０は、上記同定した基地局スクランブリングコードをスクランブリングコードレプリカ生成部２５５に生成させてセルサーチ成否判定部２６０に出力する。
【００５５】
すなわち、スクランブリングコード同定部２５０は、相関値の中で最も大きい値が得られる「変形スクランブリングコードレプリカ」が形成される際に用いられた変形方式識別情報と、その「変形スクランブリングコードレプリカ」を形成する際に用いた基地局スクランブリングコードの番号とをセルサーチ成否判定部２６０に出力する。
【００５６】
セルサーチ成否判定部２６０は、基地局１００が持っているのと同じ、基地局スクランブリングコード番号と、基地局スクランブリングコードセット識別情報と、変形方式とを対応づけた対応テーブル、具体的には、基地局スクランブリングコード番号と、基地局スクランブリングセットと、基地局スクランブリングコードブロックとの対応テーブルを保持している。そして、セルサーチ成否判定部２６０は、スクランブリング同定部２５０から受け取る基地局スクランブリングコード番号と基地局スクランブリングコードブロックとの組が、上記対応テーブルにて対応づけられているか否かを判定する。
【００５７】
判定の結果、スクランブリングコード同定部２５０から受け取る基地局スクランブリングコード番号と基地局スクランブリングコードブロックとの組が上記対応テーブルにて対応づけられている場合には、セルサーチ成否判定部２６０はセルサーチが成功したと判定し、スクランブリングコード同定部２５０から受け取った基地局スクランブリングコードをデスクランブリング部２６５に出力する。
【００５８】
一方、判定の結果、スクランブリング同定部２５０から受け取る基地局スクランブリングコード番号と基地局スクランブリングコードブロックとの組が上記対応テーブルにて対応づけられていない場合には、セルサーチ成否判定部２６０はセルサーチが失敗したと判定し、セルサーチを再度第１段階から開始するようにセルサーチリトライ信号を受信制御部２０５に出力する。従来後述するＣＲＣチェックの結果によりセルサーチの成否を判断していたのに対し、移動局２００はＣＲＣチェックの前段階でセルサーチの成否を判断できるため、セルサーチにかかる時間を低減しセルサーチの高速化を図ることができる。なお、セルサーチリトライ信号を受け取ると、受信制御部２０５は、シンボルタイミング検出部２１５が出力先である旨の出力先命令信号を無線受信部２１０に出力することとなる。
【００５９】
デスクランブリング部２６５は、ＦＦＴ処理部２２５からのＦＦＴ処理後の信号を入力し、セルサーチ成否判定部２６０から受け取る基地局スクランブリングコードを掛け合わせてデスクランブルを行い、デスクランブル後の信号を復号部２７０に出力する。
【００６０】
復号部２７０は、デスクランブル後の信号を入力し、適切な誤り訂正復号を行って誤り訂正復号結果をＣＲＣチェック部２７５に出力する。
【００６１】
ＣＲＣチェック部２７５は、復号部からの誤り訂正復号結果に対してＣＲＣエラーチェックを行い、エラーがない場合には、初期セルサーチを完了したと判定する。一方、エラーが存在する場合には、ＣＲＣチェック部２７５は、再度初期セルサーチを第１段階からやり直すべく、受信制御部２０５に対してＣＲＣエラーチェック結果を出力する。なお、このエラーが存在したときに出力されるＣＲＣエラーチェック結果を受け取ると、受信制御部２０５は、シンボルタイミング検出部２１５が出力先である旨の出力先命令信号を無線受信部２１０に出力することとなる。
【００６２】
符号化部２８０は、ＤＰＣＨなどの送信信号を入力し、所定の符号化を施し、符号化後の信号を変調部２８５に出力する。
【００６３】
変調部２８５は、所定の多値変調などの処理を行い、変調信号を無線送信部２９５に出力する。
【００６４】
無線送信部２９５は、変調部２８５から変調信号を入力し、アップコンバートなどのＲＦ処理を行い、アンテナを介して送信する。
【００６５】
次いで上記構成を有する移動局２００の動作について図７を参照して説明する。
【００６６】
ステップＳＴ１００１において、移動局２００のシンボルタイミング検出部２１５が、ガードインタバル相関をとり、ＯＦＤＭシンボルにおけるガードインタバルの相関特性を利用して、ＯＦＤＭシンボルタイミングを検出する。これがセルサーチの第１段階である。
【００６７】
ステップＳＴ１００２において、隣接サブキャリア相関部２３０は、ＦＦＴ処理部２２５からＦＦＴ処理後の信号を入力し、各ＯＦＤＭシンボル区間にて周波数方向に隣接するサブキャリア信号間で相関をとり、少なくともＮＳ＋１番目サブキャリア信号とＮＳ＋２番目のサブキャリア信号との相関値から各ＯＦＤＭシンボル区間ごとに相関系列を算出（相関演算）する。
【００６８】
ステップＳＴ１００３において、コードグループ系列相関部２４０は、隣接サブキャリア相関部２３０にて算出された相関系列およびコードグループ系列レプリカ生成部２３５からのコードグループ系列を入力し、相関系列とすべてのコードグループ系列との相関演算を行う。この相関演算は１フレーム内の全シンボルについて行われる。なお、相関演算を複数フレームにわたって行い、フレーム間で平均化してもよい。
【００６９】
フレームタイミング／コードグループ検出部２４５は、コードグループ系列相関部２４０から相関値（または平均相関値）を入力し、最大相関値を検出する。そして、フレームタイミング／コードグループ検出部２４５は、最大相関値が得られるシンボルタイミングおよびその最大相関値を求める際に掛け合わせたコードグループ系列を検出する。すなわち、ステップＳＴ１００４において、フレームタイミング／コードグループ検出部２４５は、フレームタイミングおよびコードグループ系列を同定する。なお、仮想フレームにおいて最大相関値が得られるシンボル位置をフレームタイミングと同定し、仮想フレーム位置を同定したフレームタイミングに調整して以降の信号処理を実施してもよい。
【００７０】
スクランブリングコード同定部２５０は、ＦＦＴ処理部２２５から受け取るフレームの先頭に位置するグループパイロットを含むＯＦＤＭシンボルに対して、スクランブリングコードレプリカ生成部２５５から受け取る、各基地局スクランブリングコードブロックのリピティションにより得られたＮ個の系列（すなわち、変形スクランブリングコードレプリカ）を各々掛け合わせ相関演算を行う。そして、求められた相関値の中で最も大きい値が得られる「変形スクランブリングコードレプリカ」に対応する基地局スクランブリングコードブロックの基となる基地局スクランブリングコードを同定する（ステップＳＴ１００５）。
【００７１】
そして、この基地局スクランブリングコードの同定に利用した上記基地局スクランブリングコードブロックの識別情報と、同定した基地局スクランブリングコードの番号とをセルサーチ成否判定部２６０に出力する。さらに、スクランブリングコード同定部２５０は、上記同定した基地局スクランブリングコードをスクランブリングコードレプリカ生成部２５５に生成させてセルサーチ成否判定部２６０に出力する。
【００７２】
ステップＳＴ１００６において、セルサーチ成否判定部２６０は、スクランブリング同定部２５０から受け取る基地局スクランブリングコード番号と基地局スクランブリングコードブロックの識別情報との組が、上記対応テーブルにて対応づけられているか否かを判定する。
【００７３】
判定の結果、スクランブリング同定部２５０から受け取る基地局スクランブリングコード番号と基地局スクランブリングコードブロック識別情報との組が上記対応テーブルにて対応づけられている場合（ステップＳＴ１００６：ＹＥＳ）には、セルサーチ成否判定部２６０はセルサーチが成功したと判定し、スクランブリングコード同定部２５０から受け取った基地局スクランブリングコードをデスクランブリング部２６５に出力する。
【００７４】
ステップＳＴ１００７において、復号部２７０は、デスクランブリング部２６５にてデスクランブル処理された後のブロードキャストチャネル（ＢＣＨ）信号を入力し、適切な誤り訂正復号を行って誤り訂正復号結果をＣＲＣチェック部２７５に出力する。
【００７５】
ステップＳＴ１００８において、ＣＲＣチェック部２７５は、復号部２７０からの誤り訂正復号結果に対してＣＲＣエラーチェックを行い、エラーがない場合（ステップＳＴ１００８：ＹＥＳ）には、初期セルサーチを完了したと判定し、セルサーチ処理が終了する。
【００７６】
判定の結果、スクランブリング同定部２５０から受け取る基地局スクランブリングコード番号と基地局スクランブリングコードブロック識別情報との組が上記対応テーブルにて対応づけられていない場合（ステップＳＴ１００６：ＮＯ）には、セルサーチ成否判定部２６０はセルサーチが失敗したと判定し、セルサーチリトライ信号を受信制御部２０５に出力してセルサーチを再度第１段階から開始するようにする。
【００７７】
このように実施の形態１によれば、基地局１００に、パイロット信号と自装置に割り当てられた基地局スクランブリングコードのグループを識別するためのコードグループ系列とから形成されるグループパイロットシンボルが配置されたフレームを形成するフレーム構成部１２５と、基地局スクランブリングコードの番号と対応する変形パラメータに基づいて、当該基地局スクランブリングコードから変形スクランブリングコードを形成するスクランブリングコード生成部１３０と、フレーム構成部１２５にて形成されたフレームにスクランブリングコード生成部１３０にて形成された変形スクランブリングコードを乗算するスクランブル部１３５と、変形スクランブリングコードが乗算されたフレームを送信する無線送信部１５０とを設けた。
【００７８】
こうすることにより、基地局１００が自装置の基地局スクランブリングコードの番号と対応する変形パラメータに基づいて基地局スクランブリングコードを変形した変形スクランブリングコードを掛け合わせたフレームを送信するので、このフレームの受信側において特定した基地局スクランブリングコードが実際に基地局１００にて使用された基地局スクランブリングコードであるか、すなわちセルサーチが成功しているかを、特定した基地局スクランブリングコードとこの基地局スクランブリングコードから変形スクランブリングコードに変形する際に利用する変形パラメータとの対応関係に基づいて判断することができる。その結果、従来のセルサーチの成功判定に用いていたＣＲＣチェックまで行わなくともセルサーチの成功判定ができるため、もし失敗している場合には早期にセルサーチをやり直すことができるため、セルサーチの高速化を実現することができる。
【００７９】
上記変形パラメータは、基地局スクランブリングコードを所定数に分割した基地局スクランブリングコードブロックであり、スクランブリングコード生成部１３０は、基地局スクランブリングコードの番号に対応する基地局スクランブリングコードブロックに所定数に応じたリピティションを施して変形スクランブリングコードを形成する。
【００８０】
また実施の形態１によれば、移動局２００に、パイロット信号と基地局１００に割り当てられた基地局スクランブリングコードのグループを識別するためのコードグループ系列とから形成されるグループパイロットシンボルが配置され、基地局スクランブリングコードの番号と対応する変形パラメータに基づいて当該基地局スクランブリングコードから形成された変形スクランブリングコードが乗算されているフレームを受信する無線受信部２１０と、基地局スクランブリングコードと、コードグループ系列と、変形パラメータとを対応づけた対応テーブルと、グループパイロットシンボルに基づいてフレームタイミングおよびコードグループ系列を検出するフレームタイミング／コードグループ検出部２４５と、フレームタイミング／コードグループ検出部２４５にて検出したコードグループ系列に対応する複数の基地局スクランブリングコードから変形パラメータに基づいて変形スクランブリングコードレプリカを形成し、当該変形スクランブリングコードレプリカを用いて変形スクランブリングコードを検出するスクランブリングコードレプリカ生成部２５５およびスクランブリングコード同定部２５０と、スクランブリングコード同定部２５０の検出結果に基づいてセルサーチの成否を判定するセルサーチ成否判定部２６０とを設けた。
【００８１】
こうすることにより、基地局スクランブリングコードの番号と対応する変形パラメータに基づいて基地局スクランブリングコードを変形した変形スクランブリングコードを掛け合わせたフレームを受信し、この変形スクランブリングコードの検出結果に基づいてセルサーチの成否を判定することができる。その結果、従来のセルサーチの成功判定に用いていたＣＲＣチェックまで行わなくともセルサーチの成功判定ができるので、もし失敗している場合には早期にセルサーチをやり直すことができるため、セルサーチの高速化を実現することができる。
【００８２】
また、基地局スクランブリングコードの番号を複数のセットに分け、このセットに応じて変形パラメータを変えることにより、すべての基地局スクランブリングコードごとに変形パラメータを変えるときよりはセルサーチの成否判定の正確性が低くなるものの、処理量が減るため、よりセルサーチの高速化を図ることができる。
【００８３】
また、上記スクランブリングコード同定部２５０は、形成した変形スクランブリングコードの各々と上記グループパイロットとの相関演算を行い、得られた相関値が最も大きい変形スクランブリングコードを検出する。
【００８４】
また、上記スクランブリングコード同定部２５０は、検出した変形スクランブリングコードに対応する前記基地局スクランブリングコードおよび前記変形パラメータを特定し、上記セルサーチ成否判定部２６０は、特定した基地局スクランブリングコードと変形パラメータとが対応テーブルで対応づけられているか否かに基づいて、セルサーチの成否を判定する。
【００８５】
（実施の形態２）
実施の形態１においては、基地局１００が自装置に割り当てられた基地局スクランブリングコードセットに応じた変形を基地局スクランブリングコードに施して形成した変形スクランブリングコードを送信フレームに掛け合わせ、そのフレームの受信側である移動局２００がセルサーチの判定終了に送信されてきたフレームに掛け合わされている変形スクランブリングコードの変形方式と同定した基地局スクランブリングコード番号のセットとの対応関係をセルサーチの終了判定に利用した。これに対して、実施の形態２においては、基地局スクランブリングコードセットの代わりに、コードグループ系列を複数の集合に分けたコードグループ系列セットと、変形方式との対応関係をセルサーチの終了判定に利用する。
【００８６】
図８に示すように実施の形態２の基地局３００は、スクランブリングコード生成部３１０を有する。
【００８７】
スクランブリングコード生成部３１０は、自装置に割り当てられている基地局スクランブリングコードのうち、この基地局スクランブリングコードと対応するコードグループ系列セットに対応する基地局スクランブリングコードブロックを生成する。すなわち、コードグループ系列をＭ個のセットに分けるとともに、基地局スクランブリングコードもＭ個のブロックに分け、コードグループ系列の番号と、このコードグループ系列セットと、基地局スクランブリングコードブロックとの対応テーブルを用意しておき、スクランブリングコード生成部３１０は、基地局スクランブリングコードと対応するコードグループ系列セットに対応する基地局スクランブリングコードブロックを生成する。具体的には、例えばコードグループ系列を２つのセットに分ける場合に基地局スクランブリングコードと対応するコードグループ系列の番号が偶数のときには基地局スクランブリングコードの前半部分の基地局スクランブリングコードブロックを生成し、コードグループ系列番号が奇数のときには基地局スクランブリングコードの後半部分の基地局スクランブリングコードブロックを生成する。
【００８８】
そして、スクランブリングコード生成部３１０は、基地局スクランブリングコードのブロック数であるＭをリピティションファクタ（ＲＦ）としてリピティションを行い、リピティションにより得られた系列をスクランブル部１３５に出力する。
【００８９】
すなわち、スクランブリングコード生成部３１０は、基地局スクランブリングコードと対応するコードグループ系列セットに応じた変形を基地局スクランブリングコードに施して変形スクランブリングコードを形成する。詳細には、基地局スクランブリングコードと、その基地局スクランブリングコードが属するコードグループ系列番号と、コードグループ系列セット識別情報と、変形方式とを対応づけた対応テーブルを用意しておき、スクランブリングコード生成部３１０は、基地局スクランブリングコードと対応するコードグループ系列セット識別情報と対応する変形方式により変形スクランブリングコードを形成する。なお、上記基地局スクランブリングコードブロックの識別情報は、その基地局スクランブリングコードブロックを使ってセット数であるＭをリピティションファクタ（ＲＦ）としてリピティションを行って、基地局スクランブリングコードから変形スクランブリングコードを形成するので、変形方式の識別情報或いは変形方式パラメータとして利用できる。上記具体例では、リピティションにより得られた系列が変形スクランブリングコードに対応する。
【００９０】
図９に示すように実施の形態２の移動局４００は、スクランブリングコードレプリカ生成部４１０と、スクランブリングコード同定部４２０と、セルサーチ成否判定部４３０とを有する。
【００９１】
スクランブリングコードレプリカ生成部４１０は、スクランブリングコード同定部４２０を介してコードグループ系列識別情報を入力し、このコードグループ系列識別情報が示すコードグループと対応する基地局スクランブリングコードに係る基地局スクランブリングコードブロックを生成する。そして、基地局スクランブリングコードブロック数ＭをＲＦとして各基地局スクランブリングコードブロックのリピティションを行い、リピティションにより得られた系列をスクランブリングコード同定部４２０に出力する。
【００９２】
すなわち、スクランブリングコードレプリカ生成部４１０は、コードグループ系列識別情報（コードグループ系列番号）が示すコードグループと対応する基地局スクランブリングコードを、そのコードグループ系列番号が含まれるコードグループ系列セットに対応する変形方式を用いて変形し、変形スクランブリングコードレプリカを生成する。
【００９３】
因みに、コードグループ系列セットの数Ｍが４で、一つのコードグループに１６個の基地局スクランブリングコードが含まれている場合には、スクランブリングコードレプリカ生成部２５５から出力される上記リピティションにより得られた系列（変形スクランブリングコードレプリカ）の個数は１６個となる。このようにコードグループ系列セットと、変形方式とを対応づけることにより、すべての変形方式を用いて変形スクランブリングコードレプリカを生成する必要がないので、処理量が削減され、セルサーチをより高速化することができる。
【００９４】
スクランブリングコード同定部４２０は、ＦＦＴ処理部２２５から受け取るフレームの先頭に位置するグループパイロットを含むＯＦＤＭシンボルに対して、スクランブリングコードレプリカ生成部４１０から受け取る、各基地局スクランブリングコードブロックのリピティションにより得られた系列（すなわち、変形スクランブリングコードレプリカ）を各々掛け合わせ相関演算を行う。そして、求められた相関値の中で所定の値以上であり且つ最も大きい値が得られる「変形スクランブリングコードレプリカ」に対応する基地局スクランブリングコードブロックの基となる基地局スクランブリングコードを同定する。そして、この基地局スクランブリングコードの同定に利用した上記基地局スクランブリングコードブロックに対応するコードグループ系列セット識別情報をセルサーチ成否判定部４３０に出力する。さらに、スクランブリングコード同定部４２０は、上記同定した基地局スクランブリングコードをスクランブリングコードレプリカ生成部４１０に生成させてセルサーチ成否判定部４３０に出力する。
【００９５】
セルサーチ成否判定部４３０は、スクランブリングコード同定部４２０にて求められた上記相関値に所定の値以上をもつものがある場合にのみコードグループ系列セット識別情報を受け取るため、このコードグループ系列セット識別情報を受け取ったときにはセルサーチが成功したと判定し、スクランブリングコード同定部４２０から受け取った基地局スクランブリングコードをデスクランブリング部２６５に出力する。一方、セルサーチ成否判定部４３０は、スクランブリングコード同定部４２０にて求められた上記相関値に所定の値以上をもつものがない場合には、セルサーチが失敗したと判定し、セルサーチを再度第１段階から開始するようにセルサーチリトライ信号を受信制御部２０５に出力する。
【００９６】
このように実施の形態２によれば、基地局３００に、パイロット信号と自装置に割り当てられた基地局スクランブリングコードのグループを識別するためのコードグループ系列とから形成されるグループパイロットシンボルが配置されたフレームを形成するフレーム構成部１２５と、基地局スクランブリングコードの番号と対応する変形パラメータに基づいて、当該基地局スクランブリングコードから変形スクランブリングコードを形成するスクランブリングコード生成部３１０と、フレーム構成部１２５にて形成されたフレームにスクランブリングコード生成部３１０にて形成された変形スクランブリングコードを乗算するスクランブル部１３５と、変形スクランブリングコードが乗算されたフレームを送信する無線送信部１５０とを設け、上記変形パラメータは、コードグループ系列ごとに異なる。
【００９７】
こうすることにより、基地局３００が自装置の基地局スクランブリングコードの番号と対応する変形パラメータに基づいて基地局スクランブリングコードを変形した変形スクランブリングコードを掛け合わせたフレームを送信し、しかも上記変形パラメータは、コードグループ系列ごとに異なっているので、このフレームの受信側においてはグループコード系列を検出した時点で基地局３００にて使用されたと思われる変形パラメータを絞ることができる。その結果、実施の形態１の基地局１００に比べてもさらにセルサーチを高速化することができる。
【００９８】
また実施の形態２によれば、移動局４００に、パイロット信号と基地局３００に割り当てられた基地局スクランブリングコードのグループを識別するためのコードグループ系列とから形成されるグループパイロットシンボルが配置され、基地局スクランブリングコードの番号と対応する変形パラメータに基づいて当該基地局スクランブリングコードから形成された変形スクランブリングコードが乗算されているフレームを受信する無線受信部２１０と、基地局スクランブリングコードと、コードグループ系列と、変形パラメータとを対応づけた対応テーブルと、グループパイロットシンボルに基づいてフレームタイミングおよびコードグループ系列を検出するフレームタイミング／コードグループ検出部２４５と、フレームタイミング／コードグループ検出部２４５にて検出したコードグループ系列に対応する複数の基地局スクランブリングコードから変形パラメータに基づいて変形スクランブリングコードレプリカを形成し、当該変形スクランブリングコードレプリカを用いて変形スクランブリングコードを検出するスクランブリングコードレプリカ生成部４１０およびスクランブリングコード同定部４２０と、スクランブリングコード同定部４２０の検出結果に基づいてセルサーチの成否を判定するセルサーチ成否判定部４３０と、を設けた。
【００９９】
そして、上記変形パラメータは、コードグループ系列ごとに異なり、スクランブリングコードレプリカ生成部４１０およびスクランブリングコード同定部４２０は、検出したコードグループ系列に対応する複数の基地局スクランブリングコードから当該検出したコードグループ系列に対応する変形パラメータに基づいて変形スクランブリングコードレプリカを形成し、当該変形スクランブリングコードレプリカを用いて変形スクランブリングコードを検出し、セルサーチ成否判定部４３０は、スクランブリングコード同定部４２０が変形スクランブリングコードを検出できたときにはセルサーチが成功したと判定し、スクランブリングコード同定部４２０が変形スクランブリングコードを検出できなかったときにはセルサーチが失敗したと判定する。
【０１００】
こうすることにより、移動局４００は、基地局３００が基地局スクランブリングコードの番号と対応する変形パラメータに基づいて基地局スクランブリングコードを変形した変形スクランブリングコードを掛け合わせたフレームを送信し上記変形パラメータがコードグループ系列ごとに異なっているフレームを受信するので、グループコード系列を検出した時点で基地局３００にて使用されたと思われる変形パラメータを絞ることができる。そして、変形パラメータの数を絞った上で変形スクランブリングコードレプリカを形成し、この変形スクランブリングコードレプリカを用いて変形スクランブリングコードを検出した結果に基づいてスクランブリングコード同定部４２０が直接セルサーチの成否を判定することができる。その結果、実施の形態１の基地局１００に比べてもさらにセルサーチを高速化することができる。
【０１０１】
（実施の形態３）
実施の形態１においては、変形スクランブリングコードの形を特に限定しなかった。これに対して、実施の形態３においては、１つの基地局スクランブリングコードから形成される変形スクランブリングコードの形は、チップの並び順が同一であり、且つ位相のみが異なっている。この実施の形態３の変形スクランブリングコードの例としては、図１１に示すアダマール系列の下半分の２つの系列の前半部分および後半部分を挙げることができる。
【０１０２】
図１０に示すように実施の形態３の基地局５００は、スクランブリングコード生成部５１０を有する。
【０１０３】
スクランブリングコード生成部５１０は、自装置に割り当てられている基地局スクランブリングコードのうち基地局スクランブリングコード番号に対応する基地局スクランブリングコードブロックを生成する。すなわち、基地局スクランブリングコード番号をＭ個のセットに分けるとともに、基地局スクランブリングコードもＭ個のブロックに分け、基地局スクランブリングコード番号と、スクランブリングコードセットと、基地局スクランブリングコードブロックとの対応テーブルを用意しておき、スクランブリングコード生成部５１０は、基地局スクランブリングコード番号が属する基地局スクランブリングコードセットに対応する基地局スクランブリングコードブロックを生成する。
【０１０４】
ここでスクランブリングコード生成部５１０が１つの基地局スクランブリングコードから生成する基地局スクランブリングコードブロックは、互いにチップの並び順が同一であり、且つ位相のみが異なっている。
【０１０５】
具体的には、例えば基地局スクランブリングコード番号を２つのセットに分ける場合に基地局スクランブリングコード番号が偶数のときには図１１に示すアダマール系列の下半分の２つの系列の１つのうち前半部分を基地局スクランブリングコードブロックとして生成し、基地局スクランブリングコード番号が奇数のときには後半部分を基地局スクランブリングコードブロックとして生成する。
【０１０６】
そして、スクランブリングコード生成部５１０は、基地局スクランブリングコードブロック数であるＭをリピティションファクタ（ＲＦ）としてリピティションを行い、リピティションにより得られた系列をスクランブル部１３５に出力する。
【０１０７】
すなわち、スクランブリングコード生成部５１０は、スクランブリングコードセットに応じた変形を基地局スクランブリングコードに施して変形スクランブリングコードを形成する。詳細には、基地局スクランブリングコード番号と、スクランブリングコードセット識別情報と、変形方式とを対応づけた対応テーブルを用意しておき、スクランブリングコード生成部５１０は、スクランブリングコードセット識別情報と対応する変形方式により変形スクランブリングコードを形成する。そして、１つの基地局スクランブリングコードから得られる変更スクランブリングコードは、互いにチップの並び順が同一であり、且つ位相のみが異なっている形をしている。
【０１０８】
図１２に示すように実施の形態３の移動局６００は、スクランブリングコードレプリカ生成部６１０と、スクランブリングコード同定部６２０とを有する。
【０１０９】
スクランブリングコードレプリカ生成部６１０は、スクランブリングコード同定部６２０を介してコードグループ系列識別情報を入力し、このコードグループ系列識別情報が示すコードグループと対応する基地局スクランブリングコードに係る基地局スクランブリングコードブロックを生成する。そして、スクランブリングコードセット数ＭをＲＦとして各基地局スクランブリングコードブロックのリピティションを行い、リピティションにより得られた系列をスクランブリングコード同定部６２０に出力する。
【０１１０】
すなわち、スクランブリングコードレプリカ生成部６１０は、コードグループ系列識別情報が示すコードグループと対応する基地局スクランブリングコードのすべてを１つの変形方式を用いて変形し、変形スクランブリングコードレプリカを生成する。
【０１１１】
因みに、スクランブリングコードセット数Ｍが４で、一つのコードグループに１６個の基地局スクランブリングコードが含まれている場合には、スクランブリングコードレプリカ生成部２５５から出力される上記リピティションにより得られた系列（すなわち、変形スクランブリングコードレプリカ）の個数は１６個となる。
【０１１２】
スクランブリングコード同定部６２０は、ＦＦＴ処理部２２５から受け取るフレームの先頭に位置するグループパイロットを含むＯＦＤＭシンボルに対して、スクランブリングコードレプリカ生成部６１０から受け取る、各基地局スクランブリングコードブロックのリピティションにより得られた系列（変形スクランブリングコードレプリカ）を各々掛け合わせ相関演算を行うとともに、送信側である基地局５００にて掛け合わされている変形スクランブリングコードと変形スクランブリングコードレプリカとの位相差の判定を行う。そして、判定した位相差判定結果に基づいて送信側である基地局５００にて用いられた変形方式を特定するとともに、求められた相関値の中で最も大きい値が得られる「変形スクランブリングコードレプリカ」に対応する基地局スクランブリングコードブロックの基となる基地局スクランブリングコードを同定する。
【０１１３】
そして、スクランブリングコード同定部６２０は、特定した変形方式と、同定した基地局スクランブリングコードの番号とをセルサーチ成否判定部２６０に出力する。さらに、スクランブリングコード同定部６２０は、上記同定した基地局スクランブリングコードをスクランブリングコードレプリカ生成部６１０に生成させてセルサーチ成否判定部２６０に出力する。
【０１１４】
すなわち、スクランブリングコード同定部６２０は、位相差判定結果に基づいて特定した変形方式の識別情報と、相関値の中で最も大きい値が得られる「変形スクランブリングコードレプリカ」が形成される際に用いた基地局スクランブリングコードの番号とをセルサーチ成否判定部２６０に出力する。
【０１１５】
このように実施の形態３によれば、基地局５００に、パイロット信号と自装置に割り当てられた基地局スクランブリングコードのグループを識別するためのコードグループ系列とから形成されるグループパイロットシンボルが配置されたフレームを形成するフレーム構成部１２５と、基地局スクランブリングコードの番号と対応する変形パラメータに基づいて、当該基地局スクランブリングコードから変形スクランブリングコードを形成するスクランブリングコード生成部５１０と、フレーム構成部１２５にて形成されたフレームにスクランブリングコード生成部５１０にて形成された変形スクランブリングコードを乗算するスクランブル部１３５と、変形スクランブリングコードが乗算されたフレームを送信する無線送信部１５０とを設け、上記変形スクランブリングコードは、同一のチップ列からなり、かつ、互いに位相のみが異なる。
【０１１６】
こうすることにより、基地局５００が自装置の基地局スクランブリングコードの番号と対応する変形パラメータに基づいて基地局スクランブリングコードを変形した変形スクランブリングコードを掛け合わせたフレームを送信し、しかも上記変形スクランブリングコードは同一のチップ列からなりかつ互いに位相のみが異なっているので、このフレームの受信側においては１つの変形パラメータに絞って変形スクランブリングコード候補を形成しても位相差に着目することにより変形スクランブリングコードを検出することができる。また、変形スクランブリングコードの検出自体により、セルサーチの成否を判定することができるため、実施の形態１に比べてもさらにセルサーチを高速化することができる。
【０１１７】
また実施の形態３によれば、移動局６００に、パイロット信号と基地局５００に割り当てられた基地局スクランブリングコードのグループを識別するためのコードグループ系列とから形成されるグループパイロットシンボルが配置され、基地局スクランブリングコードの番号と対応する変形パラメータに基づいて当該基地局スクランブリングコードから形成された変形スクランブリングコードが乗算されているフレームを受信する無線受信部２１０と、基地局スクランブリングコードと、コードグループ系列と、変形パラメータとを対応づけた対応テーブルと、グループパイロットシンボルに基づいてフレームタイミングおよびコードグループ系列を検出するフレームタイミング／コードグループ検出部２４５と、フレームタイミング／コードグループ検出部２４５にて検出したコードグループ系列に対応する複数の基地局スクランブリングコードから変形パラメータに基づいて変形スクランブリングコードレプリカを形成し、当該変形スクランブリングコードレプリカを用いて変形スクランブリングコードを検出するスクランブリングコードレプリカ生成部６１０およびスクランブリングコード同定部６２０と、スクランブリングコード同定部６１０の検出結果に基づいてセルサーチの成否を判定するセルサーチ成否判定部２６０とを設けた。
【０１１８】
そして、変形スクランブリングコードは、同一のチップ列からなりかつ互いに位相のみが異なり、上記スクランブリングコード同定部６２０は、検出したコードグループ系列に対応する複数の基地局スクランブリングコードから１つの変形パラメータに基づいて変形スクランブリングコード候補を形成し、当該変形スクランブリングコード候補の変形スクランブリングコードからの位相差に基づいて当該変形スクランブリングコードを検出する。
【０１１９】
こうすることにより、移動局６００は、基地局５００が基地局スクランブリングコードの番号と対応する変形パラメータに基づいて基地局スクランブリングコードを変形した変形スクランブリングコードを掛け合わせたフレームを送信し、しかも上記変形スクランブリングコードが同一のチップ列からなりかつ互いに位相のみが異なっているので、１つの変形パラメータに絞ることができる。そして、その１つの変形パラメータから変形スクランブリングコードレプリカを形成し、この変形スクランブリングコードレプリカを用いて変形スクランブリングコードを検出した結果に基づいてスクランブリングコード同定部６２０が直接セルサーチの成否を判定することができる。その結果、実施の形態１の基地局１００に比べてもさらにセルサーチを高速化することができる。
【０１２０】
（実施の形態４）
実施の形態１においては、セルサーチ成否判定部２６０にてセルサーチが失敗したと判定するとセルサーチの第１段階にすぐに戻ることを前提に説明した。それに対して、実施の形態４においては、セルサーチ成否判定部２６０にてセルサーチが失敗したと判定した場合、基地局スクランブリングコードブロックと変形スクランブリングコードとを掛け合わせて得られた相関値であって直前に基地局スクランブリングコードを同定するために利用した相関値の次の大きさを持つ相関値が、最大の相関値（最初に基地局スクランブリングコードを同定する際に利用した相関値）から求めたしきい値より大きいか否かを判定する。そして、判定結果に応じて、戻る先をセルサーチの第１段階とセルサーチの第３段階との間で変更する。
【０１２１】
図１３に示すように実施の形態４の移動局７００は、スクランブリングコード同定部７１０と、セルサーチ成否判定部７２０とを有する。
【０１２２】
この構成を有する移動局７００の動作について図１４を参照して説明する。
【０１２３】
移動局７００は、移動局２００と同様に、まずステップＳＴ１００１〜ステップＳＴ１００６までの動作を行う。
【０１２４】
そして、判定の結果、スクランブリング同定部７１０から受け取る基地局スクランブリングコード番号と基地局スクランブリングコードブロック識別情報との組が上記対応テーブルにて対応づけられている場合（ステップＳＴ１００６：ＹＥＳ）には、セルサーチ成否判定部７２０はセルサーチが成功したと判定し、スクランブリングコード同定部７１０から受け取った基地局スクランブリングコードをデスクランブリング部２６５に出力し、移動局２００と同様に、ステップＳＴ１００７およびステップＳＴ１００８を行う。
【０１２５】
一方、判定の結果、スクランブリング同定部７１０から受け取る基地局スクランブリングコード番号と基地局スクランブリングコードブロック識別情報との組が上記対応テーブルにて対応づけられていない場合（ステップＳＴ１００６：ＮＯ）には、セルサーチ成否判定部２６０はセルサーチが失敗したと判定し、セルサーチが失敗した旨の制御情報をスクランブリングコード同定部７１０に出力する。
【０１２６】
ステップＳＴ２００１において、スクランブリングコード同定部７１０は、セルサーチ成否判定部７２０から上記制御情報を受け取ると、ステップＳＴ１００５において初回に基地局スクランブリングコードを同定するために用いた最大相関値から求めたしきい値と、前回に基地局スクランブリングコードを同定するために用いた相関値の次の大きさを持つ相関値との比較を行う。
【０１２７】
比較の結果、前回に基地局スクランブリングコードを同定するために用いた相関値の次の大きさを持つ相関値が、初回に基地局スクランブリングコードを同定するために用いた最大相関値から求めたしきい値より大きい場合（ステップＳＴ２００１：ＹＥＳ）には、スクランブリングコード同定部７１０は、再度ステップＳＴ１００５に戻って、前回に基地局スクランブリングコードを同定するために用いた相関値の次の大きさを持つ相関値が得られる「変形スクランブリングコードレプリカ」に対応する基地局スクランブリングコードブロックの基となる基地局スクランブリングコードを同定する。
【０１２８】
一方、比較の結果、前回に基地局スクランブリングコードを同定するために用いた相関値の次の大きさを持つ相関値が、初回に基地局スクランブリングコードを同定するために用いた最大相関値から求めたしきい値以下の場合（ステップＳＴ２００１：ＮＯ）には、スクランブリングコード同定部７１０は、その旨の制御情報をセルサーチ成否判定部７２０に出力し、セルサーチ成否判定部７２０はセルサーチが失敗したと判定し、セルサーチリトライ信号を受信制御部２０５に出力してセルサーチを再度第１段階から開始するようにする。
【０１２９】
このように実施の形態４によれば、移動局７００に、パイロット信号と基地局１００に割り当てられた基地局スクランブリングコードのグループを識別するためのコードグループ系列とから形成されるグループパイロットシンボルが配置され、基地局スクランブリングコードの番号と対応する変形パラメータに基づいて当該基地局スクランブリングコードから形成された変形スクランブリングコードが乗算されているフレームを受信する無線受信部２１０と、基地局スクランブリングコードと、コードグループ系列と、変形パラメータとを対応づけた対応テーブルと、グループパイロットシンボルに基づいてフレームタイミングおよびコードグループ系列を検出するフレームタイミング／コードグループ検出部２４５と、フレームタイミング／コードグループ検出部２４５にて検出したコードグループ系列に対応する複数の基地局スクランブリングコードから変形パラメータに基づいて変形スクランブリングコードレプリカを形成し、当該変形スクランブリングコードレプリカを用いて変形スクランブリングコードを検出するスクランブリングコードレプリカ生成部２５５およびスクランブリングコード同定部７１０と、スクランブリングコード同定部７１０の検出結果に基づいてセルサーチの成否を判定するセルサーチ成否判定部７２０とを設けた。
【０１３０】
そして、セルサーチ成否判定部７２０は、形成した変形スクランブリングコードの各々と上記グループパイロットとの相関演算を行い、得られた相関値が最も大きい変形スクランブリングコードを検出する。
【０１３１】
そして、スクランブリングコード同定部７１０は、セルサーチ成否判定部７２０がセルサーチが失敗したと判定したときには、初回に基地局スクランブリングコードを同定するために用いた最大相関値から求めたしきい値と前回に基地局スクランブリングコードを同定するために用いた相関値の次の大きさを持つ相関値との比較結果に応じて、セルサーチのリトライステップを変更する。
【０１３２】
こうすることにより、セルサーチが失敗であると判定されたときには如何なる場合にもセルサーチの第１段階からリトライする場合に比べて、セルサーチの高速化を図ることができる。
【０１３３】
（他の実施の形態）
実施の形態１においては、スクランブリングコードレプリカ生成部２５５は、コードグループ系列識別情報が示すコードグループと対応する基地局スクランブリングコードをすべての変形方式を用いて変形し、各変形方式に応じた変形スクランブリングコードレプリカを生成した。そして、スクランブリングコード同定部２５０は、ＦＦＴ処理部２２５から受け取るフレームの先頭に位置するグループパイロットを含むＯＦＤＭシンボルに対して、スクランブリングコードレプリカ生成部２５５から受け取る、各基地局スクランブリングコードブロックのリピティションにより得られた系列（変形スクランブリングコードレプリカ）を各々掛け合わせ相関演算を行う。そして、求められた相関値の中で最も大きい値が得られる「変形スクランブリングコードレプリカ」に対応する基地局スクランブリングコードブロックの基となる基地局スクランブリングコードを同定した。そして、セルサーチ成否判定部２６０は、スクランブリング同定部２５０から受け取る基地局スクランブリングコード番号と基地局スクランブリングコードブロック識別情報との組が、上記対応テーブルにて対応づけられているか否かを判定した。
【０１３４】
しかしながら、本発明はこれに限定されるものではなく、特にスクランブリングコードセットが２つである場合には、スクランブリングコードレプリカ生成部２５５は、コードグループ系列識別情報が示すコードグループと対応する基地局スクランブリングコードを２つのうち一方の変形方式を用いて変形し、変形スクランブリングコードレプリカを生成してもよい。
【０１３５】
そしてこの場合には、スクランブリングコード同定部２５０は、ＦＦＴ処理部２２５から受け取るフレームの先頭に位置するグループパイロットを含むＯＦＤＭシンボルに対して、スクランブリングコードレプリカ生成部２５５から受け取る、各基地局スクランブリングコードブロックのリピティションにより得られた系列（すなわち、変形スクランブリングコードレプリカ）を各々掛け合わせ相関演算を行う。そして、求められた相関値の中で所定の値以上であり且つ最も大きい値が得られる「変形スクランブリングコードレプリカ」に対応する基地局スクランブリングコードブロックの基となる基地局スクランブリングコードを同定する。そして、この基地局スクランブリングコードの同定に利用した上記基地局スクランブリングコードブロックの識別情報と、同定した基地局スクランブリングコードの番号とをセルサーチ成否判定部２６０に出力する。さらに、スクランブリングコード同定部２５０は、上記同定した基地局スクランブリングコードをスクランブリングコードレプリカ生成部２５５に生成させてセルサーチ成否判定部２６０に出力する。
【０１３６】
セルサーチ成否判定部２６０は、スクランブリング同定部２５０から受け取る基地局スクランブリングコード番号と基地局スクランブリングコードブロックとの組が、上記対応テーブルにて対応づけられているか否かを判定する。
【０１３７】
判定の結果、スクランブリング同定部２５０から受け取る基地局スクランブリングコード番号と基地局スクランブリングコードブロックとの組が上記対応テーブルにて対応づけられている場合には、セルサーチ成否判定部２６０はセルサーチが成功したと判定し、スクランブリングコード同定部２５０から受け取った基地局スクランブリングコードをデスクランブリング部２６５に出力する。
【０１３８】
一方、セルサーチ成否判定部２６０は、スクランブリングコード同定部２５０にて求められた上記相関値に所定の値以上をもつものがない場合には、セルサーチが失敗したと判定し、セルサーチを再度第１段階から開始するようにセルサーチリトライ信号を受信制御部２０５に出力する。
【産業上の利用可能性】
【０１３９】
本発明の基地局装置、移動局装置およびフレーム送信方法は、セルサーチにかかる時間を低減し、高速セルサーチを実現することができるものとして有用である。
【図面の簡単な説明】
【０１４０】
【図１】本発明の実施の形態１に係る基地局の構成を示すブロック図
【図２】実施の形態１にて使用されるフレーム構成図
【図３】変形スクランブリングコードの形成方法の一例を説明するための図
【図４】実施の形態１に係る移動局の構成を示すブロック図
【図５】図４の隣接サブキャリア相関部の動作の説明に供する図
【図６】図４の隣接サブキャリア相関部の動作の説明に供する他の図
【図７】図４の移動局の動作の説明に供するフロー図
【図８】実施の形態２に係る基地局の構成を示すブロック図
【図９】実施の形態２に係る移動局の構成を示すブロック図
【図１０】実施の形態３に係る基地局の構成を示すブロック図
【図１１】実施の形態３にて使用される変形スクランブリングコードの一例を説明するための図
【図１２】実施の形態３に係る移動局の構成を示すブロック図
【図１３】実施の形態４に係る移動局の構成を示すブロック図
【図１４】図１３の移動局の動作の説明に供するフロー図
【図１５】従来のセルサーチ方式に用いられるフレーム構成図
【図１６】従来のＣＰＩＣＨ作成方法の説明に供する図
【図１７】グループパイロット作成方法の説明に供する図
【図１８】従来のＤＰＣＨ作成方法の説明に供する図
【図１９】従来のセルサーチにおける移動局の動作の説明に供するフロー図
【符号の説明】
【０１４１】
１００、３００、５００  基地局
１０５、２８０  符号化部
１１０  パイロット信号生成部
１１５  コードグループ系列生成部
１２０  ＣＰＩＣＨ生成部
１２５  フレーム構成部
１３０、３１０、５１０  スクランブリングコード生成部
１３５  スクランブル部
１４０  ＯＦＤＭ変調部
１４５  ＧＩ挿入部
１５０、２９５  無線送信部
１５５、２１０  無線受信部
２２０  ＧＩ除去部
１６５  復調部
１７０、２７０  復号部
２００、４００、６００、７００  移動局
２０５  受信制御部
２１５  シンボルタイミング検出部
２２５  ＦＦＴ処理部
２３０  隣接サブキャリア相関部
２３５  コードグループ系列レプリカ生成部
２４０  コードグループ系列相関部
２４５  フレームタイミング／コードグループ検出部
２５０、４２０、６２０、７１０  スクランブリングコード同定部
２５５、４１０、６１０  スクランブリングコードレプリカ生成部
２６０、４３０、７２０  セルサーチ成否判定部
２６５  デスクランブリング部
２７５  ＣＲＣチェック部
２８５  変調部
【図１】
2007019799.tif 000003
【図２】
2007019799.tif 000004
【図３】
2007019799.tif 000005
【図４】
2007019799.tif 000006
【図５】
2007019799.tif 000007
【図６】
2007019799.tif 000008
【図７】
2007019799.tif 000009
【図８】
2007019799.tif 000010
【図９】
2007019799.tif 000011
【図１０】
2007019799.tif 000012
【図１１】
2007019799.tif 000013
【図１２】
2007019799.tif 000014
【図１３】
2007019799.tif 000015
【図１４】
2007019799.tif 000016
【図１５】
2007019799.tif 000017
【図１６】
2007019799.tif 000018
【図１７】
2007019799.tif 000019
【図１８】
2007019799.tif 000020
【図１９】
2007019799.tif 000021